(57)【要約】【課題】  簡単な構造で、部品点数も少なく、動作信頼性の高い表示切替装置を提供する。【解決手段】  ２枚の送り歯３１、３２を有する第１円板部２６および第２溝部３４を有する第２円板部２７を備えて伝達車２３と共に回転するツメ車２４と、歯幅の厚い歯部３６ａと薄い歯部３６ｂとが交互に形成されて、ツメ車２４が１回転する際に間欠的に回転して表示車４を回転させる送り車２５とを備えている。従って、送り車２５の厚い歯部３６ａがツメ車２４の第１、第２の各溝部３３、３４に噛み合っている状態のときには、ツメ車２４によって送り車２５を円滑に回転させて表示車４を確実に回転させることができる。また、送り車２５の厚い歯部３６ａがツメ車２４の第１、第２の各溝部３３、３４から離脱している状態のときには、送り車２５の厚い歯部３６ａによって送り車２５の回転を停止させて、表示車４の回転を規制することができる。【選択図】        図８
2012127844.tif 000002
【特許請求の範囲】
【請求項１】
駆動源の回転が伝達されて回転する伝達車と、この伝達車と共に回転するツメ車と、このツメ車が１回転する際に間欠的に回転する送り車と、この送り車によって回転して表示が切り替わる表示車とを備えた表示切替装置において、
前記ツメ車は、一体的に回転する第１、第２の各円板部を有し、前記第１円板部の外周には、２枚の送り歯が突出して設けられていると共に、この２枚の送り歯間に第１溝部が設けられ、前記第２円板部の外周は前記２枚の送り歯の歯先円とほぼ同じ径で形成され、その外周部には第２溝部が前記第１溝部に対応して設けられており、
前記送り車は、前記ツメ車の前記２枚の送り歯と前記表示車の内歯との両方に噛み合う複数の歯部を有し、この複数の歯部は、１枚おきに歯幅の厚い歯部と薄い歯部とが交互に形成されており、
前記厚い歯部は、前記ツメ車の前記第１、第２の各溝部に噛み合い、この噛み合いが解除された際に前記第２円板部の外周面に接触する状態でその外周面に沿って相対的に移動し、前記薄い歯部は前記ツメ車の前記２枚の送り歯が接離可能に当接することを特徴とする表示切替装置。
【請求項２】
請求項１に記載の表示切替装置において、前記ツメ車と前記送り車とは、前記送り車の１枚の厚い歯部が前記ツメ車の前記第１、第２の各溝部に噛み合っている状態のときに、残りの厚い歯部が前記第２円板部の外周面から離れていることにより、前記送り車の回転規制を解除することを特徴とする表示切替装置。
【請求項３】
請求項１または請求項２に記載の表示切替装置において、前記ツメ車と前記送り車とは、前記厚い歯部が前記ツメ車の前記第１、第２の各溝部から離脱している状態のときに、前記厚い歯部のうちの２枚の厚い歯部が、前記第２円板部の外周面に接触した状態で、その外周面に沿って相対的に移動することにより、前記送り車の回転を規制することを特徴とする表示切替装置。
【請求項４】
請求項１〜請求項３のいずれかに記載の表示切替装置において、前記ツメ車と前記送り車とは、前記ツメ車の回転に伴って前記２枚の送り歯の一方が前記送り車の前記薄い歯部に当接した際に、前記送り車の回転を開始させて、前記送り車の１枚の厚い歯部を前記ツメ車の前記第１、第２の各溝部に噛み合せることを特徴とする表示切替装置。
【請求項５】
請求項１〜請求項４のいずれかに記載の表示切替装置において、前記ツメ車と前記送り車とは、前記ツメ車の回転に伴って前記１枚の厚い歯部が前記第１、第２の各溝部から離脱する際に、その回転方向と反対側に位置する前記送り車の薄い歯部が前記２枚の送り歯の他方に接近して、前記厚い歯部のうちの２枚の厚い歯部を前記第２円板部の外周面に接触させることを特徴とする表示切替装置。
【請求項６】
請求項１〜請求項５のいずれかに記載の表示切替装置において、前記送り車における前記歯幅の厚い歯部は、前記ツメ車の前記第１円板部と前記第２円板部との両方の厚みとほぼ同じ厚みで形成されており、前記送り車における前記歯幅の薄い歯部は、前記ツメ車の前記第１円板部の厚みとほぼ同じか、それよりも少し薄い厚みで形成されていることを特徴とする表示切替装置。
【請求項７】
請求項１〜請求項６のいずれかに記載の表示切替装置において、前記送り車の前記複数の歯部は、６枚であり、この６枚の歯部のうち、１枚おきの３枚の歯部はその歯幅が厚い歯部に形成されており、残りの３枚の歯部はその歯幅が薄い歯部に形成されていることを特徴とする表示切替装置。
【発明の詳細な説明】
【技術分野】
【０００１】
この発明は、時計やカレンダー装置、計器類のメータなどの機器に用いられる表示切替装置に関する。
【背景技術】
【０００２】
例えば、腕時計に用いられている表示切替装置においては、特許文献１に記載されているように、ステップモータの回転を中間車によって指針車に伝達し、この指針車の回転を他の中間車によってゼネバ車である伝達車に伝達し、この伝達車の回転に伴ってツメ車を回転させ、このツメ車によって送り車を間欠的に回転させ、この送り車によって表示車を回転させることにより、表示車の表示を切り替えるように構成されたものが知られている。
【先行技術文献】
【特許文献】
【０００３】
【特許文献１】特開２００９−１９８４３７号公報
【０００４】
このような腕時計の表示切替装置は、伝達車の回転に伴って回転するツメ車の外周に１枚の送り歯を突出させて設け、このツメ車が１回転するごとに１枚の送り歯が送り車の歯部に噛み合って送り車を回転させることにより、表示車を回転させて表示を切り替え、またツメ車の１枚の送り歯が送り車に噛み合っていないときに、表示車が勝手に回転するのを防ぐために、表示車をレバー部材によって押えるように構成されている。
【発明の概要】
【発明が解決しようとする課題】
【０００５】
しかしながら、このような腕時計の表示切替装置では、表示車の回転をレバー部材で規制しているため、ツメ車が１回転して送り歯が送り車の歯部に噛み合って送り車を回転させる際に、ツメ車の回転に連動して回転するカム車によって、レバー部材を表示車から離れる方向に移動させることにより、表示車に対する回転規制を解除しなければ、表示車を円滑に且つ良好に回転させることができない。
【０００６】
このため、このような表示切替装置においては、表示車の動作信頼性を確保するために、表示車を押えるレバー部材や、このレバー部材による表示車の押さえを解除するカム車が必要になるばかりか、カム車によってレバー部材を表示車から離れる方向に移動させるタイミングを調整する必要があるため、構造が複雑になり、部品点数も多く、組立作業が煩雑で、製作コストが高くなるという問題がある。
【０００７】
この発明が解決しようとする課題は、簡単な構造で、部品点数も少なく、動作信頼性の高い表示切替装置を提供することである。
【課題を解決するための手段】
【０００８】
この発明は、上記課題を解決するために、次のような構成要素を備えている。
請求項１に記載の発明は、駆動源の回転が伝達されて回転する伝達車と、この伝達車と共に回転するツメ車と、このツメ車が１回転する際に間欠的に回転する送り車と、この送り車によって回転して表示が切り替わる表示車とを備えた表示切替装置において、
前記ツメ車は、一体的に回転する第１、第２の各円板部を有し、前記第１円板部の外周には、２枚の送り歯が突出して設けられていると共に、この２枚の送り歯間に第１溝部が設けられ、前記第２円板部の外周は前記２枚の送り歯の歯先円とほぼ同じ径で形成され、その外周部には第２溝部が前記第１溝部に対応して設けられており、
前記送り車は、前記ツメ車の前記２枚の送り歯と前記表示車の内歯との両方に噛み合う複数の歯部を有し、この複数の歯部は、１枚おきに歯幅の厚い歯部と薄い歯部とが交互に形成されており、
前記厚い歯部は、前記ツメ車の前記第１、第２の各溝部に噛み合い、この噛み合いが解除された際に前記第２円板部の外周面に接触する状態でその外周面に沿って相対的に移動し、前記薄い歯部は前記ツメ車の前記２枚の送り歯が接離可能に当接することを特徴とする表示切替装置である。
【０００９】
請求項２に記載の発明は、請求項１に記載の表示切替装置において、前記ツメ車と前記送り車とは、前記送り車の１枚の厚い歯部が前記ツメ車の前記第１、第２の各溝部に噛み合っている状態のときに、残りの厚い歯部が前記第２円板部の外周面から離れていることにより、前記送り車の回転規制を解除することを特徴とする表示切替装置である。
【００１０】
請求項３に記載の発明は、請求項１または請求項２に記載の表示切替装置において、前記ツメ車と前記送り車とは、前記厚い歯部が前記ツメ車の前記第１、第２の各溝部から離脱している状態のときに、前記厚い歯部のうちの２枚の厚い歯部が、前記第２円板部の外周面に接触した状態で、その外周面に沿って相対的に移動することにより、前記送り車の回転を規制することを特徴とする表示切替装置である。
【００１１】
請求項４に記載の発明は、請求項１〜請求項３のいずれかに記載の表示切替装置において、前記ツメ車と前記送り車とは、前記ツメ車の回転に伴って前記２枚の送り歯の一方が前記送り車の前記薄い歯部に当接した際に、前記送り車の回転を開始させて、前記送り車の１枚の厚い歯部を前記ツメ車の前記第１、第２の各溝部に噛み合せることを特徴とする表示切替装置である。
【００１２】
請求項５に記載の発明は、請求項１〜請求項４のいずれかに記載の表示切替装置において、前記ツメ車と前記送り車とは、前記ツメ車の回転に伴って前記１枚の厚い歯部が前記第１、第２の各溝部から離脱する際に、その回転方向と反対側に位置する前記送り車の薄い歯部が前記２枚の送り歯の他方に接近して、前記厚い歯部のうちの２枚の厚い歯部を前記第２円板部の外周面に接触させることを特徴とする表示切替装置である。
【００１３】
請求項６に記載の発明は、請求項１〜請求項５のいずれかに記載の表示切替装置において、前記送り車における前記歯幅の厚い歯部は、前記ツメ車の前記第１円板部と前記第２円板部との両方の厚みとほぼ同じ厚みで形成されており、前記送り車における前記歯幅の薄い歯部は、前記ツメ車の前記第１円板部の厚みとほぼ同じか、それよりも少し薄い厚みで形成されていることを特徴とする表示切替装置である。
【００１４】
請求項７に記載の発明は、請求項１〜請求項６のいずれかに記載の表示切替装置において、前記送り車の前記複数の歯部は、６枚であり、この６枚の歯部のうち、１枚おきの３枚の歯部はその歯幅が厚い歯部に形成されており、残りの３枚の歯部はその歯幅が薄い歯部に形成されていることを特徴とする表示切替装置である。
【発明の効果】
【００１５】
この発明によれば、送り車の厚い歯部がツメ車の第１、第２の各溝部に噛み合っている状態のときに、ツメ車によって送り車を円滑に回転させて表示車を確実に回転させることができ、また送り車の厚い歯部がツメ車の第１、第２の各溝部から離脱している状態のときに、送り車の厚い歯部によって送り車の回転を停止させて、表示車の回転を確実に規制することができる。このため、構造が簡単で、部品点数も少なく、組立作業性が良く、低価格を図ることができると共に、表示車の回転規制動作とその解除動作とを簡単に実現することができるので、動作信頼性の高いものを提供することができる。
【図面の簡単な説明】
【００１６】
【図１】この発明を指針式の腕時計に適用した一実施形態における第１駆動系を示した要部の拡大断面図である。
【図２】図１の腕時計における第２駆動系を示した要部の拡大断面図である。
【図３】図２に示された第２駆動系における表示切替装置の伝達車およびツメ車を示し、（ａ）はその伝達車およびツメ車の拡大平面図、（ｂ）はその伝達車およびツメ車の拡大側面図、（ｃ）はその伝達車およびツメ車の拡大裏面図である。
【図４】図２に示された第２駆動系における表示切替装置の送り車を示し、（ａ）はその送り車の拡大平面図、（ｂ）はその送り車の拡大側面図、（ｃ）はその送り車の拡大裏面図である。
【図５】図２に示された表示切替装置において、ツメ車の送り歯が送り車に接近する状態を示し、（ａ）はその要部を示した拡大平面図、（ｂ）はその要部を示した拡大裏面図である。
【図６】図５に示された表示切替装置において、ツメ車の送り歯が送り車の薄い歯部に当接した状態を示し、（ａ）はその要部を示した拡大平面図、（ｂ）はその要部を示した拡大裏面図である。
【図７】図６に示された表示切替装置において、ツメ車の送り歯によって送り車が回転を開始した状態を示し、（ａ）はその要部を示した拡大平面図、（ｂ）はその要部を示した拡大裏面図である。
【図８】図７に示された表示切替装置において、ツメ車の第１、第２の各溝部に送り車の厚い歯部が噛み合った状態を示し、（ａ）はその要部を示した拡大平面図、（ｂ）はその要部を示した拡大裏面図である。
【図９】図８に示された表示切替装置において、ツメ車の第１、第２の各溝部から送り車の厚い歯部が離脱する状態を示し、（ａ）はその要部を示した拡大平面図、（ｂ）はその要部を示した拡大裏面図である。
【図１０】図９に示された表示切替装置において、ツメ車の第１、第２の各溝部に対する噛み合いが解除された送り車の２枚の厚い歯部によって、送り車の回転が規制された状態を示し、（ａ）はその要部を示した拡大平面図、（ｂ）はその要部を示した拡大裏面図である。
【発明を実施するための形態】
【００１７】
以下、図１〜図１０を参照して、この発明を指針式の腕時計に適用した一実施形態について説明する。
この腕時計は、図１および図２に示すように、秒針１および分針２を駆動する第１駆動系５と、時針３および表示車４を駆動する第２駆動系６とを備えている。
【００１８】
第１駆動系５は、図１に示すように、第１ステッピングモータ７と、この第１ステッピングモータ７によって回転する五番車８と、この五番車８によって回転する四番車である秒針車９と、この秒針車９によって回転する三番車１０と、この三番車によって回転する二番車である分針車１１とを備え、これらが地板１２と輪列受け１３との間に配置された構成になっている。
【００１９】
この場合、第１ステッピングモータ７は、図１に示すように、ステータ７ａと、このステータ７ａに設けられたコイル部（図示せず）と、ステータ７ａの間に配置されたロータ７ｂとを備え、コイル部によってステータ７ａに発生する磁界により、ロータ７ｂがステップ回転するように構成されている。五番車８は、ロータ７ｂのロータカナ７ｃに噛み合って回転するように構成されている。
【００２０】
四番車である秒針車９は、図１に示すように、五番車８のカナ８ａに噛み合って回転し、秒針１を運針させるように構成されている。この秒針車９は、秒針軸９ａを備えている。この秒針軸９ａは、地板１２の上方に突出し、この突出した上端部に秒針１が取り付けられている。また、三番車１０は、秒針車９のカナ９ｂに噛み合って回転するように構成されている。
【００２１】
二番車である分針車１１は、図１に示すように、三番車１０のカナ１０ａに噛み合って回転し、分針２を運針させるように構成されている。この分針車１１は、筒状の分針軸１１ａを備えている。この分針軸１１ａは、その内部に秒針軸９ａが回転可能に挿入されている。また、この分針軸１１ａは、秒針軸９ａと共に地板１２の上方に突出し、この突出した上端部に分針２が取り付けられている。
【００２２】
一方、第２駆動系６は、図２に示すように、第２ステッピングモータ１４と、この第２ステッピングモータ１４の回転が順次伝達される第１〜第３の各中間車１５〜１７と、この第３中間車１７によって回転する筒車である時針車１８と、この時針車１８の回転が順次伝達される第４、第５の各中間車１９、２０と、この第５中間車２０によって動作する表示切替装置２１とを備えている。
【００２３】
この場合、第２駆動系６の第２ステッピングモータ１４および第１〜第３の各中間車１５〜１７は、第１駆動系５と同様、地板１２と輪列受け１３との間に配置されている。また、この第２駆動系６の時針車１８、第４、第５の各中間車１９、２０、および表示切替装置２１は、図２に示すように、地板１２と押え板２２との間に配置されている。
【００２４】
第２ステッピングモータ１４は、図２に示すように、ステータ１４ａと、このステータ１４ａに設けられたコイル部（図示せず）と、ステータ１４ａの間に配置されたロータ１４ｂとを備え、第１ステッピングモータ７と同様、コイル部によってステータ１４ａに発生する磁界により、ロータ１４ｂがステップ回転するように構成されている。
【００２５】
第１中間車１５は、図２に示すように、ロータ１４ｂのロータカナ１４ｃに噛み合って回転するように構成されている。第２中間車１６は、第１中間車１５のカナ１５ａに噛み合って回転するように構成されている。第３中間車１７は、第２中間車１６のカナ１６ａに噛み合って回転するように構成されている。筒車である時針車１８は、図２に示すように、第３中間車１７のカナ１７ａに噛み合って回転し、時針３を運針させるように構成されている。
【００２６】
この時針車１８は、図１および図２に示すように、筒状の時針軸１８ａを備えている。この時針車１８は、その時針軸１８ａの内部に分針軸１１ａが回転可能に挿入された状態で地板１２上に配置されて押え板２２によって回転可能に押えられた構成になっている。この時針軸１８ａの上端部には、時針３が取り付けられている。また、第４中間車１９は、時針車１８に噛み合って回転するように構成されている。第５中間車２０は、第４中間車１９のカナ１９ａに噛み合って回転するように構成されている。
【００２７】
ところで、表示切替装置２１は、図２に示すように、第５中間車２０によって回転する伝達車２３と、この伝達車２３と共に回転するツメ車２４と、このツメ車２４によって間欠的に回転する送り車２５と、この送り車２５によって回転する表示車４とを備え、これらが地板１２と押え板２２との間に配置された構成になっている。
【００２８】
この場合、伝達車２３は、図２に示すように、第５中間車２０に噛み合って回転するように構成されている。ツメ車２４は、図２および図３に示すように、第１円板部２６と第２円板部２７とが重なり合った状態で一体に形成され、伝達車２３の回転軸２８に一体的に取り付けられ、伝達車２３と共に回転するように構成されている。
【００２９】
このツメ車２４の第１円板部２６の外周面には、図３（ａ）に示すように、２枚の送り歯３１、３２が外周方向に突出して設けられていると共に、この２枚の送り歯３１、３２間に第１溝部３３が設けられている。第２円板部２７は、図３（ａ）〜図３（ｃ）に示すように、その外周が第１円板部２６の２枚の送り歯３１、３２の各歯先円とほぼ同じ径で形成されている。この第２円板部２７の外周部には、第２溝部３４が第１円板部２６の第１溝部３３に対応して設けられている。
【００３０】
送り車２５は、図２に示すように、ツメ車２４の外周面の近傍に配置された状態で、ツメ車２４が１回転する際にツメ車２４の２枚の送り歯３１、３２によって間欠的に所定角度だけ回転して表示車４を回転させるように構成されている。この送り車２５の中心には、図４（ａ）〜図４（ｃ）に示すように、回転軸２９が上下に突出して設けられている。また、この送り車２５の外周には、ツメ車２４の２枚の送り歯３１、３２に噛み合うと共に表示車４の後述する内歯４ａに噛み合う複数の歯部３６ａ、３６ｂが設けられている。
【００３１】
この複数の歯部３６ａ、３６ｂは、図４（ａ）〜図４（ｃ）に示すように、全部で６枚であり、１枚おきに歯幅の厚い歯部３６ａと薄い歯部３６ｂとが交互に形成された構成になっている。この場合、歯幅の厚い３枚の歯部３６ａは、ツメ車２４の第１円板部２６と第２円板部２８との両方の厚みとほぼ同じ厚みで形成されている。歯幅の薄い３枚の歯部３６ｂは、ツメ車２４の第１円板部２６の厚みとほぼ同じか、それよりも少し薄い厚みで形成されている。
【００３２】
また、歯幅の厚い３枚の歯部３６ａは、ツメ車２４の第１、第２の各溝部３３、３４に噛み合い、この噛み合いが解除された際に第２円板部２７の外周面に接触した状態で、その外周面に沿って相対的に移動するように構成されている。また、歯幅の薄い３枚の歯部３６ｂは、ツメ車２４の第１、第２の各溝部３３、３４に噛み合うことなく、ツメ車２４の２枚の送り歯３１、３２のいずれか一方が接離可能に当接するように構成されている。
【００３３】
この場合、歯幅の薄い歯部３６ｂは、図５および図６に示すように、歯幅の厚い３枚の歯部３６ａのうち、２枚の厚い歯部３６ａが、第２円板部２７の外周面に接触した状態で、その外周面に沿って相対的に移動する状態のときに、その２枚の厚い歯部３６ａ間に位置する１枚の薄い歯部３６ｂが、ツメ車２４の第１円板部２６の外周面に接近して、第２円板部２８の上面、つまり第１円板部２６に設けられた２枚の送り歯３１、３２の移動軌跡上に位置し、この移動軌跡上を相対的に移動するように構成されている。
【００３４】
また、この歯幅の薄い歯部３６ｂは、図８（ａ）および図８（ｂ）に示すように、歯幅の厚い歯部３６ａがツメ車２４の第１、第２の各溝部３３、３４に噛み合ってツメ車２４が回転している状態のときに、第１円板部２６に設けられた２枚の送り歯３１、３２の移動軌跡上から離脱して、第２円板部２７の外周側に位置するように構成されている。
【００３５】
これにより、ツメ車２４と送り車２５とは、図５（ａ）および図５（ｂ）に示すように、歯幅の厚い歯部３６ａがツメ車２４の第１、第２の各溝部３３、３４から離脱した状態でツメ車２４が回転している際に、送り車２５の歯幅の厚い歯部３６ａのうち、２枚の厚い歯部３６ａが、ツメ車２４の第２円板部２７の外周面に接触した状態で、その外周面に沿って相対的に移動することにより、送り車２５の回転を規制して停止させるように構成されている。
【００３６】
また、ツメ車２４と送り車２５とは、図８（ａ）および図８（ｂ）に示すように、歯幅の厚い歯部３６ａのうち、１枚の厚い歯部３６ａがツメ車２４の第１、第２の各溝部３３、３４に噛み合った状態で、ツメ車２４が回転する際に、第１、第２の各溝部３３、３４に噛み合っていない残りの厚い歯部３６ａが、ツメ車２４の第２円板部２７の外周面から離れることにより、送り車２５の回転規制が解除されるように構成されている。
【００３７】
また、ツメ車２４と送り車２５とは、図５および図６に示すように、送り車２５の歯幅の厚い歯部３６ａのうち、２枚の厚い歯部３６ａがツメ車２４の第２円板部２７の外周面に接触して送り車２５の回転が規制されている状態で、ツメ車２４が回転する際に、ツメ車２４の２枚の送り歯３１、３２のうち、回転方向に位置する一方の送り歯３１がその回転方向に位置する送り車２５の薄い歯部３６ｂに当接すると、送り車２５の厚い歯部３６ａが、ツメ車２４の２枚の送り歯３１、３２間に位置する第１、第２の各溝部３３、３４内に向けて移動することにより、送り車２５の回転規制が解除されて、送り車２５の回転を開始させるように構成されている。
【００３８】
また、このツメ車２４と送り車２５とは、図７および図８に示すように、ツメ車２４の回転に伴って、ツメ車２４の一方の送り部３１が、その当接した送り車２５の薄い歯部３６ｂとこれに隣接する厚い歯部３６ａとの間に挿入すると、その厚い歯部３６ａがツメ車２４の第１、第２の各溝部３３、３４に噛み合い、この状態でツメ車２４の回転に伴って送り車２５が回転するように構成されている。
【００３９】
また、このツメ車２４と送り車２５とは、図９（ａ）および図９（ｂ）に示すように、送り車２５の１枚の厚い歯部３６ａがツメ車２４の第１、第２の各溝部３３、３４から離脱する際に、ツメ車２４の回転方向と反対側に位置する他方の送り歯３２が、ツメ車２４の第１、第２の各溝部３３、３４間に位置する送り車２５の厚い歯部３６ａとこれに隣接する回転方向と反対側に位置する薄い歯部３６ｂとの間に挿入し、この薄い歯部３６ｂがツメ車２４の第１円板部２６の外周面に接近しながら第２円板部２７の上面、つまり第１円板部２６の２枚の送り歯３１、３２の移動軌跡上に位置し、この移動軌跡上を相対的に移動するように構成されている。
【００４０】
さらに、このツメ車２４と送り車２５とは、図１０（ａ）および図１０（ｂ）に示すように、送り車２５の１枚の厚い歯部３６ａがツメ車２４の第１、第２の各溝部３３、３４から離脱して、この離脱した厚い歯部３６ａに隣接する回転方向と反対側に位置する薄い歯部３６ｂが、ツメ車２４の第２円板部２７の上面を移動しながら第１円板部２６の外周面に接近し、ツメ車２４の第１円板部２６における２枚の送り歯３１、３２の移動軌跡上に移動可能に位置するように構成されている。
【００４１】
また、ツメ車２４と送り車２５とは、図１０（ａ）および図１０（ｂ）に示すように、離脱した厚い歯部３６ａに隣接する回転方向と反対側に位置する薄い歯部３６ｂが、ツメ車２４の第１円板部２６における２枚の送り歯３１、３２の移動軌跡上に位置すると、送り車２５の２枚の厚い歯部４ａがツメ車２４の第２円板部２８の外周面に接触した状態で、その外周面に沿って相対的に移動すると共に、１枚の薄い歯部３６ｂがツメ車２４の移動軌跡上を相対的に移動することにより、送り車２５の回転を規制して停止させ、ツメ車２４が回転しても、送り車２５が回転しないように構成されている。
【００４２】
一方、表示車４は、図５〜図１０に示すように、日車であり、平板状のリング形状に形成されている。この表示車４の表面には、１〜３１の日付表示が等間隔で表示されている。また、この表示車４は、その内周部に内歯４ａが設けられ、この内歯４ａに送り車２５の各歯部３６ａ、３６ｂが順次噛み合うように構成されている。これにより、表示車４は、送り車２５の間欠的な回転に伴って回転し、日付表示が切り替わるように構成されている。
【００４３】
次に、このような指針式の腕時計における表示切替装置２１の作用について説明する。
この表示切替装置２１は、第２ステッピングモータ１４が正回転して、ツメ車２４が２４時間で１回転する際に、送り車２５が所定角度（例えば１２０度）だけ正回転し、この送り車２５の正回転に伴って表示車４が約１１．６度（１／３１度）だけ正回転し、表示車４に表示された日付表示が切り替わる。
【００４４】
すなわち、表示車４の日付表示が切り替わる前の状態では、図５（ａ）および図５（ｂ）に示すように、伝達車２３によってツメ車２４が正回転（図５（ａ）では時計回り）している。このときには、送り車２５の歯幅の厚い歯部３６ａがツメ車２４の第１、第２の各溝部３３、３４から離脱し、この送り車２５の３枚の厚い歯部３６ａのうち、２枚の厚い歯部３６ａが、図５（ｂ）に示すように、ツメ車２４の第２円板部２７の外周面に接触している。また、残りの１枚の厚い歯部３６ａは、表示車４の内歯４ａに噛み合っている。
【００４５】
この状態では、ツメ車２４の第２円板部２７の外周面に接触している送り車２５の２枚の厚い歯部３６ａが、ツメ車２４の第２円板部２７の外周面に沿って相対的に移動する。このため、ツメ車２４が正回転しても、送り車２５は回転することがない。これにより、外部から加わった不用意な力により表示車４に回転力が生じても、表示車４が回転して日付表示が勝手に切り替わることがない。
【００４６】
また、このときには、図５（ａ）に示すように、ツメ車２４の正回転方向に位置する送り車２５の１枚の薄い歯部３６ｂが、ツメ車２４の第１円板部２６の外周面に接近した状態で、第２円板部２７の上面、つまり第１円板部２６に設けられた２枚の送り歯３１、３２の移動軌跡上に位置して、この移動軌跡上を相対的に移動する。また、残りの２枚の薄い歯部３６ｂのうち、１枚の薄い歯部３６ｂは、表示車４の内歯４ａに噛み合っている。
【００４７】
この状態で、ツメ車２４が正回転して２４時間が経過する直前になると、図６（ａ）および図６（ｂ）に示すように、ツメ車２４の２枚の送り歯３１、３２のうち、正回転方向に位置する一方の送り歯３１が、その正回転方向に位置する送り車２５の１枚の薄い歯部３６ｂに当接する。これにより、ツメ車２４の正回転方向と反対側に位置する送り車２５の１枚の厚い歯部３６ａが、ツメ車２４の２枚の送り歯３１、３２の間に位置する第１、第２の各溝部３３、３４内に向けて移動する。
【００４８】
このときには、図６（ａ）に示すように、ツメ車２４の第２円板部２７の外周面に接触している送り車２５の２枚の厚い歯部２６ａのうち、ツメ車２４の正回転方向と反対側に位置する厚い歯部３６ａが、ツメ車２４の２枚の送り歯３１、３２間に位置する第１、第２の各溝部３３、３４内に向けて移動すると共に、その正回転方向に位置する送り車２５の厚い歯部３６ａが、ツメ車２４の第２円板部２７の外周面から徐々に離れる。これにより、送り車２５の回転規制が解除され、送り車２５が回転を開始し、これに伴って表示車４も回転を開始する。
【００４９】
そして、ツメ車２４が更に正回転して、図７および図８に示すように、ツメ車２４の正回転方向に位置する一方の送り歯３１が、これに当接している送り車２５の薄い歯部３６ｂとこれに隣接する正回転方向と反対側に位置する厚い歯部３６ａとの間に挿入し、その厚い歯部３６ａがツメ車２４の第１、第２の各溝部３３、３４に噛み合う。
【００５０】
このときには、一方の送り歯３１に当接した送り車２５の薄い歯部３６ｂが、第１円板部２６の外周面から徐々に離れると共に、正回転方向と反対側に位置する送り車２５の薄い歯部３６ｂが、ツメ車２４の正回転方向と反対側に位置する他方の送り歯３２に徐々に接近する。これにより、送り車２５が更に回転し、これに伴って表示車４も更に回転する。
【００５１】
この後、ツメ車２４が更に正回転して、図９（ａ）および図９（ｂ）に示すように、送り車２５の１枚の厚い歯部３６ａがツメ車２４の第１、第２の各溝部３３、３４から離脱する際には、ツメ車２４の正回転方向と反対側に位置する他方の送り歯３２が、ツメ車２４の第１、第２の各溝部３３、３４内に位置する送り車２５の厚い歯部３６ａとこれに隣接する正回転方向と反対側に位置する薄い歯部３６ｂとの間に徐々に挿入する。
【００５２】
このときには、図９（ａ）および図９（ｂ）に示すように、ツメ車２４の正回転方向と反対側に位置する他方の送り歯３２に接近した薄い歯部３６ｂが、ツメ車２４の第２円板部２７の上面を移動しながら第１円板部２６の外周面に接近し、この第１円板部２６における２枚の送り歯３１、３２の移動軌跡上に位置する。このときにも、送り車２５が更に回転し、これに伴って表示車４が更に回転し、表示車４の日付表示が完全に切り替わる。
【００５３】
この状態で、ツメ車２４が更に正回転すると、図１０（ａ）および図１０（ｂ）に示すように、送り車２５の１枚の厚い歯部３６ａがツメ車２４の第１、第２の各溝部３３、３４から離脱し、この離脱した厚い歯部３６ａとその正回転方向と反対側に位置する厚い歯部３６ａとが、ツメ車２４の第２円板部２８の外周面に接触する。
【００５４】
このときにも、図１０（ｂ）に示すように、ツメ車２４の第２円板部２７の外周面に接触している送り車２５の２枚の厚い歯部３６ａが、ツメ車２４の第２円板部２７の外周面に沿って相対的に移動する。このため、送り車２５の回転が規制され、ツメ車２４が回転しても、送り車２５は回転することがない。これにより、外部から加わった不用意な力により表示車４に回転力が生じても、表示車４が回転して日付表示が勝手に切り替わることがない。
【００５５】
また、このときにも、図１０（ａ）に示すように、ツメ車２４の第２円板部２７の外周面に接触している２枚の厚い歯部３６ａの間に位置する１枚の薄い歯部３６ｂが、ツメ車２４の第１円板部２６の外周面に接近した状態で、第２円板部２７の上面に位置する第１円板部２６の２枚の送り歯３１、３２の移動軌跡上に位置して、この移動軌跡上を相対的に移動する。
【００５６】
このように、この表示切替装置２１によれば、駆動源である第２ステッピングモータ１４の回転が伝達されて回転する伝達車２３と、２枚の送り歯３１、３２を有する第１円板部２６および第２溝部３４を有する第２円板部２７を備えて伝達車２３の回転に伴って回転するツメ車２４と、歯幅の厚い歯部３６ａと薄い歯部３６ｂとが交互に形成されてツメ車２４が１回転する際に間欠的に回転する送り車２５と、この送り車２５によって回転して表示が切り替わる表示車４とを備えただけの構成であるから、構造が簡単で、部品点数も少なく、組立作業性が良く、低価格を図ることができると共に、表示車４の回転規制動作とその解除動作とを簡単に実現することができるので、動作信頼性の高いものを提供することができる。
【００５７】
すなわち、この表示切替装置２１では、ツメ車２４が、一体的に回転する第１、第２の各円板部２６、２８を有し、この第１円板部２６の外周に２枚の送り歯３１、３２が突出して設けられていると共に、この２枚の送り歯３１、３２間に第１溝部３３が設けられ、第２円板部２７の外周が２枚の送り歯３１、３２の歯先円とほぼ同じ径で形成され、その外周部に第２溝部３４が第１溝部３３に対応して設けられた構成であるから、ツメ車２４の構造が簡単で、容易に製作することができる。
【００５８】
また、この表示切替装置２１では、送り車２５が、ツメ車２４の送り歯３１、３３と表示車４の内歯４ａとに噛み合う６枚の歯部３６ａ、３６ｂを有し、この６枚の歯部３６ａ、３６ｂが１枚おきに歯幅の厚い歯部３６ａと薄い歯部３６ｂとを交互に形成した構成であるから、送り車２５の構造が複雑にならないため、送り車２５を容易に製作することができる。
【００５９】
さらに、この表示切替装置２１では、厚い歯部３６ａがツメ車２４の第１、第２の各溝部３３、３４に噛み合い、この噛み合いが解除された際に第２円板部２７の外周面に接触した状態でその外周面に沿って相対的に移動し、薄い歯部３６ｂがツメ車２４の２枚の送り歯３１、３２に接離可能に当接する構成であるから、表示車４の回転規制動作とその解除動作とを簡単に且つ容易に実現することができる。
【００６０】
すなわち、この表示切替装置２１では、送り車２５の１枚の厚い歯部３６ａがツメ車２４の第１、第２の各溝部３３、３４に噛み合っている状態のときに、ツメ車２４によって送り車２５を円滑に回転させて表示車４を確実に且つ良好に回転させることができ、また送り車２５の厚い歯部３６ａがツメ車２４の第１、第２の各溝部３３、３４から離脱している状態のときに、送り車２５の２枚の厚い歯部３６ａによって送り車２５の回転を確実に規制して停止させることができ、これにより表示車４の回転を確実に且つ良好に規制することができる。
【００６１】
このように、この表示切替装置２１によれば、先行文献のようなレバー部材やカム車などを用いずに、表示車４の回転規制動作とその解除動作とを簡単に且つ容易に実現することができるので、構造が簡単で、部品点数も少なく、組立作業性が良く、低価格を図ることができると共に、動作信頼性の高いものを提供することができる。
【００６２】
この場合、ツメ車２４と送り車２５とは、送り車２５の１枚の厚い歯部３６ａがツメ車２４の第１、第２の各溝部３３、３４に噛み合っている状態のときに、残りの厚い歯部３６ａが第２円板部２７の外周面から離れていることにより、送り車２５の回転規制を解除するように構成されているので、ツメ車２４によって送り車２５が回転する際に、送り車２５の回転規制を確実に且つ良好に解除して、送り車２５を円滑に回転させることができると共に、表示車４を確実に且つ良好に回転させることができる。
【００６３】
また、ツメ車２４と送り車２５とは、送り車２５の厚い歯部３６ａがツメ車２４の第１、第２の各溝部３３、３４から離脱している状態のときに、厚い歯部３６ａのうち、２枚の厚い歯部３６ａが、第２円板部２７の外周面に接触した状態で、その外周面に沿って相対的に移動することにより、送り車２５の回転を規制するように構成されているので、送り車２５の厚い歯部３６ａがツメ車２４の第１、第２の各溝部３３、３４から離脱した状態で、ツメ車２４が回転する際に、送り車２５の２枚の厚い歯部３６ａによって送り車２５の回転を確実に且つ良好に規制して停止させることができる。
【００６４】
このため、ツメ車２４が回転しても、送り車２５が回転することがないので、表示車４が回転しないように、表示車４の回転を確実に且つ良好に規制することができる。これにより、外部から加わった不用意な力により表示車４に回転力が生じても、表示車４が回転して日付表示が勝手に切り替わることがないため、動作信頼性および表示信頼性を確保することができる。
【００６５】
この場合、ツメ車２４と送り車２５とは、ツメ車２４が回転して、このツメ車２４の２枚の送り歯３１、３２の一方が送り車２５の薄い歯部３６ｂに当接した際に、送り車２５の回転を開始させて、送り車２５の１枚の厚い歯部３６ａをツメ車２４の第１、第２の各溝部３３、３４に噛み合せるように構成されているので、送り車２５の２枚の厚い歯部３６ａによって送り車２５の回転が規制されていても、ツメ車２４の２枚の送り歯３１、３２の一方が送り車２５の１枚の薄い歯部３６ｂに当接することにより、送り車２５の１枚の厚い歯部３６ａをツメ車２４の第１、第２の各溝部３３、３４に噛み合せることができ、これにより送り車２５の回転規制を確実に且つ良好に解除することができる。
【００６６】
また、ツメ車２４と送り車２５とは、送り車２５の１枚の厚い歯部３６ａがツメ車２４の第１、第２の各溝部３３、３４から離脱する際に、回転方向と反対側に位置する薄い歯部３６ｂが、ツメ車２４の２枚の送り歯の３１、３２の他方に接近して、２枚の厚い歯部３６ａを第２円板部２８の外周面に接触させるように構成されているので、送り車２５の１枚の厚い歯部３６ａがツメ車２４の第１、第２の各溝部３３、３４から離脱した際に、送り車２５の２枚の厚い歯部３６ａによって送り車２５の回転を確実に且つ良好に規制して停止させることができる。
【００６７】
この場合、送り車２５における歯幅の厚い歯部３６ａは、ツメ車２４の第１円板部２６と第２円板部２８との両方の厚みとほぼ同じ厚みで形成されていることにより、送り車２５の厚い歯部３６ａをツメ車２４の第１、第２の各溝部３３、３４に噛み合わせて送り車２５を確実に且つ良好に回転させることができる。
【００６８】
また、送り車２５における歯幅の薄い歯部３６ｂは、ツメ車２４の第１円板部２６の厚みとほぼ同じか、それよりも少し薄い厚みで形成されていることにより、歯幅の薄い歯部３６ｂをツメ車２４の第２円板部２７の上面に位置する第１円板部２６の２枚の送り歯３１、３２の移動軌跡上に離脱可能に位置させることができるので、ツメ車２４の２つの送り歯３１、３２の一方を薄い歯部３６ｂに確実に当接させることができ、これにより送り車２５の回転を確実に且つ良好に開始させることができる。
【００６９】
なお、上述した実施形態では、第１駆動系５と第２駆動系６とを有する腕時計に適用した場合について述べたが、必ずしも第１、第２の各駆動系５、６を備えている必要はなく、１つの駆動系のみを有する腕時計にも適用することができる。
【００７０】
また、上述した実施形態では、指針式の腕時計に適用した場合について述べたが、必ずしも腕時計である必要はなく、例えばトラベルウオッチ、目覚まし時計、置き時計、掛け時計などの各種の指針式の時計に適用することができる。また、時計に限らず、カレンダー装置や計器類のメータなどの各種の機器にも広く適用することができる。
【符号の説明】
【００７１】
４  表示車
４ａ  内歯
５  第１駆動系
６  第２駆動系
１４  第２ステッピングモータ
１５〜１７  第１〜第３の各中間車
１８  時針車
１９、２０  第４、第５の各中間車
２１  表示切替装置
２３  伝達車
２４  ツメ車
２５  送り車
２６  第１円板部
２７  第２円板部
３１、３２  ２枚の送り歯
３３、３４  第１、第２の各溝部
３６ａ  歯幅の厚い歯部
３６ｂ  歯幅の薄い歯部
【図１】
2012127844.tif 000003
【図２】
2012127844.tif 000004
【図３】
2012127844.tif 000005
【図４】
2012127844.tif 000006
【図５】
2012127844.tif 000007
【図６】
2012127844.tif 000008
【図７】
2012127844.tif 000009
【図８】
2012127844.tif 000010
【図９】
2012127844.tif 000011
【図１０】
2012127844.tif 000012